(57)【要約】【課題】胴膨れ防止のため罫線を窪むように曲げても、継代部分での接着不良が生じないようにする。【解決手段】各一対の平面板１及び側面板２を交互に連設して内容物を包み込み、一方の側面板２から延びる継代片３と、これに重なる平面板１の側縁部裏面とを貼り合わせ、側面板２及び平面板１からそれぞれ延びる端面フラップ４，５を貼り合わせて封緘する構成とし、側面板２と平面板１及び継代片３との境界となる折目線８を、側面板２の中心部へ向けて窪むように曲げたラップラウンド式段ボール箱において、前記継代片３に貼り合わされる平面板１の側縁部に、折目線８の窪んだ部分に対応する部分の両側方で、裏面側から段潰し加工を施すことにより、肉薄部１０を形成する。これにより、継代片３と平面板１の側縁部との隙間が抑制されて、接着性が高められる。【選択図】図２
2014105017.tif 000002
【特許請求の範囲】
【請求項１】
各一対の平面板(1)及び側面板(2)を交互に連設して内容物を包み込み、一方の側面板(2)から延びる継代片(3)と、これに重なる平面板(1)の側縁部裏面とを貼り合わせ、側面板(2)及び平面板(1)からそれぞれ延びる端面フラップ(4,5)を貼り合わせて封緘する構成とし、側面板(2)と平面板(1)及び継代片(3)との境界となる折目線(8)を、側面板(2)の中心部へ向けて窪むように曲げたラップラウンド式段ボール箱において、前記継代片(3)に貼り合わされる平面板(1)の側縁部に、折目線(8)の窪んだ部分に対応する部分の両側方で、裏面側から段潰し加工を施すことにより、肉薄部(10)を形成したことを特徴とするラップラウンド式段ボール箱。
【発明の詳細な説明】
【技術分野】
【０００１】
この発明は、飲料容器等を包装するラップラウンド式段ボール箱に関するものである。
【背景技術】
【０００２】
一般に、飲料を充填したペットボトルや缶は、ラップラウンド式の段ボール箱により包装されて、飲料メーカーから小売店まで流通している。その過程において、倉庫やトラックの荷台等での積上荷重により、段ボール箱の側面が樽状に膨れる胴膨れ現象が生じ、これが返品の原因となることもある。
【０００３】
このような胴膨れの抑制を図った段ボール箱として、図４に示すようなものが提案されている（下記特許文献１参照）。
【０００４】
この段ボール箱は、各一対の平面板５１及び側面板５２を交互に連設して内容物を包み込み、一方の側面板５２から延びる継代片５３と、これに重なる天面側の平面板５１の側縁部裏面とを、ホットメルト接着剤ａにより貼り合わせ、側面板５２及び平面板５１からそれぞれ延びる端面フラップ５４，５５を貼り合わせて封緘される。
【０００５】
そして、各側面板５２と平面板５１及び継代片５３との境界となる折目線５６は、側面板５２の中心部へ向けて窪むようにＶ字状に曲げられ、これにより、側面板５２の中間部には、大きな荷重が作用せず、圧縮強度の大きい側面板５２と端面フラップ５４の稜部で荷重を負荷するようにしている。
【先行技術文献】
【特許文献】
【０００６】
【特許文献１】特開２００７−３９０９０号公報
【発明の概要】
【発明が解決しようとする課題】
【０００７】
しかしながら、図４に示すようなラップラウンド式段ボール箱では、継代片５３と平面板５１との間に隙間が生じるため、これらの貼り合わせに際し、十分に圧着することができず、接着不良が生じるおそれがある。
【０００８】
そこで、この発明は、胴膨れ防止のため罫線を窪むように曲げても、継代部分での接着不良が生じないようにすることを課題とする。
【課題を解決するための手段】
【０００９】
上記課題を解決するため、この発明は、各一対の平面板及び側面板を交互に連設して内容物を包み込み、一方の側面板から延びる継代片と、これに重なる平面板の側縁部裏面とを貼り合わせ、側面板及び平面板からそれぞれ延びる端面フラップを貼り合わせて封緘する構成とし、側面板と平面板及び継代片との境界となる折目線を、側面板の中心部へ向けて窪むように曲げたラップラウンド式段ボール箱において、前記継代片に貼り合わされる平面板の側縁部に、折目線の窪んだ部分に対応する部分の両側方で、裏面側から段潰し加工を施すことにより、肉薄部を形成したのである。
【発明の効果】
【００１０】
このラップラウンド式段ボール箱では、側面板と継代片との境界となる折目線の窪んだ部分に、平面板の側縁部の段潰し加工されていない部分を対応させ、折目線の窪んだ部分の両側方に、平面板の側縁部の段潰し加工された肉薄部を対応させるので、継代片と平面板の側縁部との隙間が抑制されて、接着性が高められ、胴膨れ防止効果を確保しつつ、継代部分での接着不良を防止することができる。
【図面の簡単な説明】
【００１１】
【図１】この発明に係るラップラウンド式段ボール箱のブランクを示す図
【図２】同上の組立状態を示す斜視図
【図３】同上の継代側の側面図
【図４】従来のラップラウンド式段ボール箱の組立状態を示す斜視図
【発明を実施するための形態】
【００１２】
以下、この発明の実施形態を添付図面に基づいて説明する。
【００１３】
図１は、飲料を充填したペットボトルを包装するラップラウンド式段ボール箱のブランクを示す。このブランクでは、各一対の平面板１及び側面板２が交互に連設され、一方の平面板１の外側には、継代片３が連設されている。各側面板２の両端には端面フラップ４が、各平面板１の両端には端面フラップ５がそれぞれ連設されている。
【００１４】
各側面板２及びその両端の端面フラップ４には、開封用として、段ボールの裏ライナを切り込んだライナカット等による引裂帯６が設けられ、組立時に上側となる端面フラップ５及びこれに重なる端面フラップ４には、片側に寄せて取手穴７が設けられている。
【００１５】
各側面板２と平面板１及び継代片３との境界となる折目線８は、側面板２の中心部へ向けて窪むように曲げた押罫線とされ、折目線８の傾斜部分に挟まれた水平部分に臨んで、平面板１及び継代片３側に平坦部９が設けられている。
【００１６】
組立時に継代片３に重なって天面となる平面板１の側縁部には、平坦部９に対応する部分の両側方で、裏面側から段ボールの中芯を押し潰す段潰し加工を施すことにより、肉薄部１０が形成されている。
【００１７】
また、継代片３にも、全体的に裏面側から段潰し加工が施され、継代片３が繋がる側面板２に隣り合った底面側となる平面板１にも、この側面板２との境界となる折目線８の中間部分に近接して、裏面側から段潰し加工が施され、肉薄部１１が形成されている。
【００１８】
これにより、継代部分の厚さを抑制すると共に、継代部分の下方で、側面板２の中間部分に沿ったペットボトルに大きな積上荷重がかかることを防止している。
【００１９】
上記ブランクを組み立てて、飲料を充填したペットボトルを包装する際には、図２に示すように、底面側となる平面板１に集積したペットボトルＢを載せ、各一対の平面板１及び側面板２を巻き込むように折り曲げて、ペットボトルＢを包み込み、継代片３と天面側の平面板１の側縁部裏面とを、ホットメルト接着剤ａで貼り合わせ、端面フラップ４，５もまたホットメルト接着剤で貼り合わせる。
【００２０】
このように組み立てた段ボール箱では、図３に示すように、側面板２と継代片３との境界となる折目線８の窪んだ部分に臨む平坦部９に、平面板１の側縁部の段潰し加工されていない部分が対応し、折目線８の窪んだ部分の両側方の傾斜部分に、平面板１の側縁部の段潰し加工された肉薄部１０が対応する。
【００２１】
このため、継代片３と平面板１の側縁部との隙間が抑制されて、接着性が高められ、胴膨れ防止効果を確保しつつ、継代部分での接着不良を防止することができる。
【００２２】
なお、上記実施形態では、折目線８の窪んだ部分に臨む平坦部９を設けた段ボール箱を例示したが、平坦部９がないＶ字状や弧状の折目線８を有する段ボール箱についても、継代部分に上記のような構成を適用することができる。
【００２３】
また、折目線８において、窪んだ部分の両側方が傾斜した直線のものを例示したが、この部分は、曲線としてもよく、曲線と直線の組み合わせとしてもよい。
【００２４】
また、継代部分が天面側に位置するものを例示したが、継代部分は、底面側に位置させてもよく、継代部分を有する天面側又は底面側のいずれか一対の折目線８だけを、側面板２の中心部へ向けて窪むように曲げてもよい。
【００２５】
そのほか、直方体の段ボール箱について例示したが、側面板２と端面フラップ４との稜部や平面板１と端面フラップ５との稜部に面取り部が設けられた形状の段ボール箱についても、上記構成を適用することができる。
【符号の説明】
【００２６】
１  平面板
２  側面板
３  継代片
４，５  端面フラップ
６  引裂帯
７  取手穴
８  折目線
９  平坦部
１０，１１  肉薄部
ａ  ホットメルト接着剤
Ｂ  ペットボトル
【図１】
2014105017.tif 000003
【図２】
2014105017.tif 000004
【図３】
2014105017.tif 000005
【図４】
2014105017.tif 000006